(57)【要約】【課題】防水性能の向上を図ることができる屋根部の防水構造を提供する。【解決手段】建物の屋根部１３は、陸屋根部１５と、陸屋根部１５に隣接して設けられた傾斜屋根部１６とを備える。屋根部１３では、その周縁部に沿って壁部が設けられている。陸屋根部１５には、前記壁部として第１壁部１８が設けられ、傾斜屋根部１６には、前記壁部として当該傾斜屋根部１６の傾斜方向に延びる第２壁部１９が設けられている。第１壁部１８と第２壁部１９とは横並びで配置されている。陸屋根部１５と傾斜屋根部１６との境界部付近には下葺き材３８，３９が敷設されている。下葺き材３８，３９は、その一部が上方に立ち上げられて立ち上がり部３８ｂ，３９ｂとなっている。これら立ち上がり部３８ｂ，３９ｂは第１壁部１８の内面側と第２壁部１９の内面側とに跨がって設けられている。【選択図】      図３
2015155621.tif 000002
【特許請求の範囲】
【請求項１】
陸屋根部と、前記陸屋根部に隣接して設けられた傾斜屋根部とを有する建物の屋根部において、その周縁部には壁部が設けられており、
前記陸屋根部には、前記壁部として第１壁部が設けられており、
前記傾斜屋根部には、前記壁部として当該傾斜屋根部の傾斜方向に延びる第２壁部が設けられており、
前記第１壁部と前記第２壁部とは横並びで隣接しており、
前記第１壁部の内面側と前記第２壁部の内面側とに跨がってシート状の防水手段が設けられていることを特徴とする屋根部の防水構造。
【請求項２】
前記陸屋根部と前記傾斜屋根部との境界部付近には第１下葺き材が設けられており、
前記第１下葺き材は、
前記陸屋根部と前記傾斜屋根部とに跨がって敷設された第１敷設部と、
前記第１敷設部から前記第１壁部及び前記第２壁部に沿って上方に立ち上げられ、それら両壁部に跨がって設けられた第１立ち上がり部とを有しており、
前記防水手段は、前記第１立ち上がり部により構成されていることを特徴とする請求項１に記載の屋根部の防水構造。
【請求項３】
前記陸屋根部と前記傾斜屋根部との境界部付近には、第１下葺き材に加えて第２下葺き材が設けられており、
前記第１下葺き材と前記第２下葺き材とのうち、前記第１下葺き材が前記陸屋根部側に配置され、前記第２下葺き材が前記傾斜屋根部側に配置されており、
前記第２下葺き材は、
少なくとも前記傾斜屋根部に敷設され、その一部が前記第１敷設部の下面に重ね合わせられた第２敷設部と、
前記第２敷設部よりも上方に立ち上げられ、その一部が前記第１立ち上がり部の内側面に重ね合わせられた第２立ち上がり部とを有しており、
前記第２立ち上がり部は、前記第１壁部の内面及び前記第２壁部の内面に跨がって設けられ、前記第１立ち上がり部とともに前記防水手段を構成していることを特徴とする請求項２に記載の屋根部の防水構造。
【請求項４】
前記第２立ち上がり部において前記第２壁部よりも前記第１壁部側に延出した部分は立ち上がり延出部となっており、
前記立ち上がり延出部は、その下端部が前記第２下葺き材の他の部分に対して非連続とされた非連続端部となっていることを特徴とする請求項３に記載の屋根部の防水構造。
【請求項５】
前記第２敷設部は、前記傾斜屋根部よりも前記陸屋根部側に延出し前記第１敷設部の下面に重ね合わせられた敷設延出部を有しており、
前記第２下葺き材には、前記陸屋根部側の端縁から前記敷設延出部と前記立ち上がり延出部との境界部に沿って切り込みが形成されており、
前記切り込みによって前記立ち上がり延出部の下端が前記非連続端部となっていることを特徴とする請求項４に記載の屋根部の防水構造。
【請求項６】
前記第１壁部の頂部と前記第２壁部の頂部とに跨がって防水テープが貼り付けられており、
前記防水テープは、さらに前記防水手段にも跨がるように貼り付けられていることを特徴とする請求項１乃至５のいずれか一項に記載の屋根部の防水構造。
【請求項７】
前記第１壁部は、パラペットにより構成されており、
前記第２壁部は、のぼり木を含んで構成されていることを特徴とする請求項１乃至６のいずれか一項に記載の屋根部の防水構造。
【発明の詳細な説明】
【技術分野】
【０００１】
本発明は、屋根部の防水構造に関する。
【背景技術】
【０００２】
住宅等の建物では、屋根部が陸屋根（フラットルーフ）により構成されている場合がある。また、陸屋根を有する建物では、屋根部の一部が、傾斜制限等の関係から傾斜屋根となっている場合がある。例えば特許文献１には、陸屋根部と傾斜屋根部とが隣接配置された屋根構造が開示されている。この特許文献１の構成では、陸屋根部と傾斜屋根部とにより連続した水勾配が形成されており、陸屋根部に溜まった雨水等の水が傾斜屋根部を流下して屋根外部へと排出されるようになっている。
【０００３】
また、特許文献１に記載の屋根構造では、屋根部の外観を良好とする等の目的で、陸屋根部の周縁部に沿って第１壁部（パラペット）が設けられ、傾斜屋根部の周縁部に沿って第２壁部が設けられている。これら第１壁部と第２壁部とは水勾配に沿って横並びで配置されている。そのため、雨水が陸屋根部から傾斜屋根部側へ水勾配に沿って流れる際にはこれらの壁部により雨水が水勾配の下流側へと案内されることになる。
【先行技術文献】
【特許文献】
【０００４】
【特許文献１】特許第５１６６９８８号公報
【発明の概要】
【発明が解決しようとする課題】
【０００５】
ところで、上述した屋根構造では、陸屋根部に溜まった雨水が傾斜屋根部の側へと流れる際、その雨水が第１壁部及び第２壁部の壁際に沿って流れる場合が考えられる。その場合、壁際を流れる雨水が第１壁部と第２壁部との間を通じて壁部の内部へと入り込んでしまう場合が考えられ、さらにはその入り込んだ雨水が壁内から流下して建物内部へ浸入するといった問題が発生するおそれがある。そのため、上述の屋根構造は、防水性能の面で改善の余地がある。
【０００６】
本発明は、上記事情に鑑みてなされたものであり、防水性能の向上を図ることができる屋根部の防水構造を提供することを主たる目的とするものである。
【課題を解決するための手段】
【０００７】
上記課題を解決すべく、第１の発明の屋根部の防水構造は、陸屋根部と、前記陸屋根部に隣接して設けられた傾斜屋根部とを有する建物の屋根部において、その周縁部には壁部が設けられており、前記陸屋根部には、前記壁部として第１壁部が設けられており、前記傾斜屋根部には、前記壁部として当該傾斜屋根部の傾斜方向に延びる第２壁部が設けられており、前記第１壁部と前記第２壁部とは横並びで隣接しており、前記第１壁部の内面側と前記第２壁部の内面側とに跨がってシート状の防水手段が設けられていることを特徴とする。
【０００８】
本発明によれば、陸屋根部の周縁部に設けられた第１壁部と、傾斜屋根部の周縁部に設けられた第２壁部とが横並びで隣接している構成にあって、第１壁部の内面側と第２壁部の内面側とに跨がってシート状の防水手段が設けられているため、雨水等の水が第１壁部及び第２壁部の間を通じて壁部の内部へ入り込むのを防止することができる。したがって、例えば陸屋根部に溜まった雨水等の水が傾斜屋根部側へ第１壁部及び第２壁部の壁際に沿って流れる際に、その水が各壁部の間を通じて壁部内部へ入り込むのを防止することができる。これにより、防水性能の向上を図ることができる。
【０００９】
第２の発明の屋根部の防水構造は、第１の発明において、前記陸屋根部と前記傾斜屋根部との境界部付近には第１下葺き材が設けられており、前記第１下葺き材は、前記陸屋根部と前記傾斜屋根部とに跨がって敷設された第１敷設部と、前記第１敷設部から前記第１壁部及び前記第２壁部に沿って上方に立ち上げられ、それら両壁部に跨がって設けられた第１立ち上がり部とを有しており、前記防水手段は、前記第１立ち上がり部により構成されていることを特徴とする。
【００１０】
一般に、屋根部では、その雨仕舞（防水）を行うために下葺き材が敷設されている。そこで本発明では、陸屋根部と傾斜屋根部との境界部付近に敷設した下葺き材（第１下葺き材）の一部を上方に立ち上げて第１立ち上がり部とし、その第１立ち上がり部を第１壁部の内面側と第２壁部の内面側とに跨がって設けるようにしている。この場合、第１下葺き材の一部によって防水手段が構成されるため、下葺き材とは別に防水手段を設ける場合と比べて、構成の簡素化を図りながら上記第１の発明の効果を得ることができる。
【００１１】
また、第１立ち上がり部は、陸屋根部と傾斜屋根部とに跨がって敷設された第１敷設部から第１壁部及び第２壁部のそれぞれに沿って上方に立ち上げられているため、陸屋根部と傾斜屋根部との境界部及び第１壁部と第２壁部との境界部に跨がる連続した防水層を形成することができる。これにより、第１壁部及び第２壁部の壁際に沿って（第１敷設部上を）流れる雨水等の水がそれら各壁部の間を通じて壁部内部へ入り込むのを確実に防止することができる。そのため、防水性能の向上をより一層図ることができる。
【００１２】
第３の発明の屋根部の防水構造は、第２の発明において、前記陸屋根部と前記傾斜屋根部との境界部付近には、第１下葺き材に加えて第２下葺き材が設けられており、前記第１下葺き材と前記第２下葺き材とのうち、前記第１下葺き材が前記陸屋根部側に配置され、前記第２下葺き材が前記傾斜屋根部側に配置されており、前記第２下葺き材は、少なくとも前記傾斜屋根部に敷設され、その一部が前記第１敷設部の下面に重ね合わせられた第２敷設部と、前記第２敷設部よりも上方に立ち上げられ、その一部が前記第１立ち上がり部の内側面に重ね合わせられた第２立ち上がり部とを有しており、前記第２立ち上がり部は、前記第１壁部の内面及び前記第２壁部の内面に跨がって設けられ、前記第１立ち上がり部とともに前記防水手段を構成していることを特徴とする。
【００１３】
一般に、屋根部では、下葺き材が水勾配に沿って複数並べて敷設されている。この場合、雨仕舞の観点から、水勾配の上流側に配置される下葺き材の一部が水勾配の下流側に配置される下葺き材の上面に重ね合わせられるようにして敷設される。そこで本発明では、陸屋根部と傾斜屋根部との境界部付近において陸屋根部側（換言すると水勾配上流側）に上記の第１下葺き材を敷設し、傾斜屋根部側（換言すると水勾配下流側）に第２下葺き材を敷設して、第２下葺き材の第２敷設部を第１敷設部の下面に重ね合わせるようにしている。そして、かかる構成にあって、第２下葺き材の一部を第２敷設部よりも上方に立ち上げて第２立ち上がり部とし、その第２立ち上がり部を第１立ち上がり部の内側面（裏面）にて第１壁部の内面と第２壁部の内面とに跨がって設けている。この場合、第１下葺き材の第１立ち上がり部に加え、第２下葺き材の第２立ち上がり部が第１壁部及び第２壁部に跨がって設けられるため、各壁部の境界部にてそれら２つの立ち上がり部による二重の防水層を形成することができる。これにより、防水性能の向上をさらに図ることができる。
【００１４】
第４の発明の屋根部の防水構造は、第３の発明において、前記第２立ち上がり部において前記第２壁部よりも前記第１壁部側に延出した部分は立ち上がり延出部となっており、前記立ち上がり延出部は、その下端部が前記第２下葺き材の他の部分に対して非連続とされた非連続端部となっていることを特徴とする。
【００１５】
本発明によれば、第２立ち上がり部において第２壁部よりも第１壁部側に延出した立ち上がり延出部の下端部が、第２下葺き材の他の部分に対して非連続とされている。この場合、例えば立ち上がり延出部の下端部が第２敷設部と連続している場合と比べて、立ち上がり延出部の周辺においてたわみやしわを生じにくくすることができる。そのため、立ち上がり延出部を第１壁部の内面に密着させ易くすることができ、防水性能の低下を抑制することができる。
【００１６】
第５の発明の屋根部の防水構造は、第４の発明において、前記第２敷設部は、前記傾斜屋根部よりも前記陸屋根部側に延出し前記第１敷設部の下面に重ね合わせられた敷設延出部を有しており、前記第２下葺き材には、前記陸屋根部側の端縁から前記敷設延出部と前記立ち上がり延出部との境界部に沿って切り込みが形成されており、前記切り込みによって前記立ち上がり延出部の下端が前記非連続端部となっていることを特徴とする。
【００１７】
本発明によれば、第２敷設部の一部（敷設延出部）が陸屋根部まで延出して第１敷設部の下面に重ね合わせられているため、第１敷設部と第２敷設部との重なり部分が傾斜屋根部と陸屋根部とに跨がって形成されている。そのため、雨水等の水が第１敷設部と第２敷設部との間を通じて下葺き材の裏側へ入り込むのを防止する効果を高めることができる。また、このように第２敷設部に敷設延出部を設けた構成にあって、第２下葺き材には敷設延出部と立ち上がり延出部との境界部に沿って切り込みが形成され、その切り込みによって立ち上がり延出部の下端が非連続端部とされているため、第１敷設部と第２敷設部との間を通じた水の入り込みを防止する効果を高めつつ、上記第４の発明の効果を得ることができる。
【００１８】
第６の発明の屋根部の防水構造は、第１乃至第５のいずれかの発明において、前記第１壁部の頂部と前記第２壁部の頂部とに跨がって防水テープが貼り付けられており、前記防水テープは、さらに前記防水手段にも跨がるように貼り付けられていることを特徴とする。
【００１９】
本発明によれば、第１壁部の頂部と第２壁部の頂部とに跨がって防水テープが貼り付けられているため、これら壁部の上方から雨水等の水が各壁部の間を通じて壁部内部へ入り込むのを防止することができる。また、防水テープは、さらに防水手段にも跨がって貼り付けられているため、これら防水テープ及び防水手段により第１壁部及び第２壁部の境界部にて壁部内面側から頂部にかけて連続した防水層を形成することができる。これにより、第１壁部及び第２壁部の間を通じた壁部内部への水の入り込みを好適に防止することができる。
【００２０】
第７の発明の屋根部の防水構造は、第１乃至第６のいずれかの発明において、前記第１壁部は、パラペットにより構成されており、前記第２壁部は、のぼり木を含んで構成されていることを特徴とする。
【００２１】
陸屋根部では第１壁部がパラペットにより構成され、傾斜屋根部では第２壁部がのぼり木を含んで構成される場合が考えられる。この場合、第１壁部と第２壁部とが互いに異なる構成からなるため、それら壁部間に隙間が生じ易いと考えられ、その隙間を通じた壁部内部への水の入り込みが特に懸念される。その点本発明では、かかる構成に第１の発明を適用しているため、第１壁部と第２壁部とが異なる構成からなる場合でも壁部内部への水の入り込みを好適に防止することができる。
【図面の簡単な説明】
【００２２】
【図１】建物全体を示す斜視図。
【図２】カットユニットの構成を示す斜視図。
【図３】陸屋根部と傾斜屋根部との境界部周辺の防水構造を示す斜視図。
【図４】陸屋根部と傾斜屋根部との境界部周辺の防水構造を一方の下葺き材を屋根上方に離間させた状態で示す斜視図。
【図５】第１壁部及び第２壁部の各頂部に防水テープが貼り付けられた状態を示す斜視図。
【発明を実施するための形態】
【００２３】
以下に、本発明を具体化した一実施の形態について図面を参照しつつ説明する。本実施形態では、建物として、複数の建物ユニットが組み合わされてなるユニット式建物について具体化している。図１は、建物全体を示す斜視図である。
【００２４】
図１に示すように、建物１０は、基礎１１上に設けられた建物本体１２と、建物本体１２の上方に設けられた屋根部１３とを備える。建物本体１２は、一階部分と二階部分とを有する二階建てとなっている。建物本体１２は、複数の建物ユニット２０が組み合わせられることにより構成されている。建物ユニット２０は、梁及び柱等を有して直方体状に形成されている。建物ユニット２０は製造工場においてあらかじめ製造され、その後施工現場にトラック等により搬送されるものとなっている。
【００２５】
屋根部１３は、概ね陸屋根（フラットルーフ）として構成されており、その一部が傾斜屋根として構成されている。すなわち、屋根部１３は、陸屋根部１５と、陸屋根部１５に隣接して設けられた傾斜屋根部１６とを有している。傾斜屋根部１６は、陸屋根部１５から下方傾斜するように形成されており、陸屋根部１５と傾斜屋根部１６とにより連続した水勾配が形成されている。この場合、陸屋根部１５上に溜まった雨水等の水は傾斜屋根部１６上を伝って流下し、傾斜屋根部１６の下端から屋根外部へと排出される。
【００２６】
なお、図示は省略するが、建物１０には、傾斜屋根部１６の下端縁に沿って雨樋が設けられ、その雨樋により傾斜屋根部１６から流下する水が受けられて排出されるようになっている。また、傾斜屋根部１６には、屋根材としてスレート瓦が葺設されている。
【００２７】
屋根部１３には、その周縁部に沿って屋根面よりも上方に立ち上げられた壁部が設けられている。陸屋根部１５には、壁部として第１壁部１８が設けられており、傾斜屋根部１６には、壁部として第２壁部１９が設けられている。第１壁部１８はいわゆるパラペットとして構成されており、第２壁部１９はのぼり木３４（図３参照）を有して構成されている。また、第２壁部１９は、傾斜屋根部１６の両端部において当該傾斜屋根部１６の傾斜方向に沿って延びている。なお、屋根部１３上において第１壁部１８及び第２壁部１９により囲まれた内側空間は屋根上空間２６となっている。
【００２８】
屋根部１３は、二階部分を構成する各建物ユニット２０の上方に形成されている。これら各建物ユニット２０のうち、上方に傾斜屋根部１６が形成された建物ユニット２０は側面視の（詳しくはユニット短手方向から見た）形状が台形形状をなすカットユニット２０ａとなっている。カットユニット２０ａ上には、傾斜屋根部１６に加えて陸屋根部１５の一部が形成されており、傾斜屋根部１６と陸屋根部１５とがカットユニット２０ａの短手方向に並んで配置されている。
【００２９】
続いて、カットユニット２０ａの構成について図２に基づいて説明する。図２は、カットユニット２０ａの構成を示す斜視図である。
【００３０】
図２に示すように、カットユニット２０ａは、その四隅に配設された４本の柱２１，２２と、各柱２１，２２の上端部を連結する４本の天井大梁２３，２４と、各柱２１，２２の下端部を連結する４本の床大梁２５とを備えている。そして、それら柱２１，２２、天井大梁２３，２４及び床大梁２５により側面視台形形状の骨格（フレーム）が形成されている。この点からすると、カットユニット２０ａを台形ユニットということもできる。
【００３１】
各柱２１，２２のうち屋内側に配置された柱２１は通常長さで形成された通常柱となっている。つまり、この柱２１は、通常の建物ユニット２０（直方体状の建物ユニット２０）の柱２１と同じ長さを有している。それに対して、屋外側に配置された柱２２は通常長さよりも短い長さで形成された短柱となっている。これら各柱２１，２２はいずれも四角筒状の角形鋼よりなる。
【００３２】
各天井大梁２３，２４のうちカットユニット２０ａの長辺側に配置された２本の天井大梁２３はいずれも直線状に形成されている。それら各天井大梁２３のうちの一方（屋内側）の天井大梁２３は各柱２１の上端部同士を連結しており、他方（屋外側）の天井大梁２３は各柱２２の上端部同士を連結している。それに対してカットユニット２０ａの短辺側に配置された２本の天井大梁２４はいずれも途中で屈曲された屈曲形状をなしている。すなわち、天井大梁２４は、水平方向に延びる水平部２４ａと、水平部２４ａに対して下方傾斜する向きに屈曲された傾斜部２４ｂとを有している。これら各天井大梁２４は、各柱２１，２２の上端部同士を連結しており、水平部２４ａが柱２１に連結され、傾斜部２４ｂが柱２２に連結されている。各天井大梁２３，２４はいずれも断面コ字状の溝形鋼よりなり、その開口部をユニット内側に向けて配置されている。
【００３３】
対向する各天井大梁２４の屈曲部の間には中間梁２７が架け渡されている。中間梁２７は、断面コ字状の溝形鋼よりなり、その開口部を屋内側に配置された天井大梁２３の側に向けて配置されている。
【００３４】
中間梁２７と屋内側の天井大梁２３との間には、所定の間隔で複数の天井小梁２８が架け渡されている。中間梁２７と屋外側の天井大梁２３との間には、所定の間隔で複数の天井小梁２９が架け渡されている。これら各天井小梁２８，２９は、例えばリップ溝形鋼よりなり、いずれも同じ間隔（ピッチ）で配置されている。
【００３５】
カットユニット２０ａの天井部では、屋内側の天井大梁２３、中間梁２７、各水平部２４ａ及び各天井小梁２８を含んで平面部３１が構成されており、屋外側の天井大梁２３、中間梁２７、各傾斜部２４ｂ及び各天井小梁２９を含んで傾斜部３２が構成されている。カットユニット２０ａ上では、平面部３１の上方に陸屋根部１５が形成され、傾斜部３２の上方に傾斜屋根部１６が形成されるようになっている。
【００３６】
カットユニット２０ａの長辺側の対向する床大梁２５の間には、所定の間隔で複数の床小梁３３が架け渡されている。床小梁３３は角形鋼よりなる。床小梁３３は、天井小梁２８，２９と同間隔でかつ天井小梁２８，２９と上下に対向する位置に配置されている。
【００３７】
次に、陸屋根部１５と傾斜屋根部１６との境界部における屋根の防水構造について図３に基づいて説明する。図３は、陸屋根部１５と傾斜屋根部１６との境界部周辺の防水構造を示す斜視図である。
【００３８】
図３に示すように、陸屋根部１５及び傾斜屋根部１６にはそれぞれ野地板３５が設けられている。陸屋根部１５では野地板３５ａがカットユニット２０ａの平面部３１上に配設され、傾斜屋根部１６では野地板３５ｂがカットユニット２０ａの傾斜部３２上に配設されている。
【００３９】
陸屋根部１５では、野地板３５ａの上に板状の防露断熱材３６が設けられている。防露断熱材３６は例えば硬質ウレタンフォームにより形成されている。防露断熱材３６上及び野地板３５ｂ上には複数の下葺き材３８，３９が並べて設けられている。下葺き材３８，３９は、アスファルトルーフィングにより形成されている。下葺き材３８，３９の詳細については後述する。
【００４０】
陸屋根部１５において、第１壁部１８（パラペット）は、パラペットフレーム４１と、パラペットフレーム４１の外側に取り付けられた外壁面材４２と、パラペットフレーム４１の内側に取り付けられた下地面材４３とを有する。パラペットフレーム４１は、複数の鋼材が矩形枠状に組み合わせられることにより構成されている。図示は省略するが、パラペットフレーム４１は、その下端部が例えばカットユニット２０ａの天井大梁２４に対して固定されている。外壁面材４２は、例えば窯業系サイディングよりなる。また、下地面材４３は、例えばパーティクルボードよりなる。
【００４１】
傾斜屋根部１６において、第２壁部１９はのぼり木３４を有して構成されている。のぼり木３４は木製の角材よりなる。のぼり木３４は、野地板３５ｂ上における屋外側の端部（けらば部）に設けられ、当該野地板３５ｂ（傾斜屋根部１６）の傾斜に沿って延びるように配置されている。
【００４２】
のぼり木３４の外側面（屋外側面）には外壁面材４４が設けられている。外壁面材４４は、例えば窯業系サイディングよりなり、カットユニット２０ａの天井大梁２４等に固定されている（図示略）。外壁面材４４は、第１壁部１８の外壁面材４２と横並びで配置されており、その上端面がのぼり木３４の上面の傾斜に合わせて斜めになっている。この外壁面材４４においてのぼり木３４の外側に隣接する部分がのぼり木３４とともに第２壁部１９を構成している。
【００４３】
第２壁部１９は、第１壁部１８に対して（平面視で）横並びで隣接している。この場合、第２壁部１９と第１壁部１８とは互いの端部同士を突き合わせるようにして配置されている。また、第２壁部１９（詳しくはのぼり木３４）の内面（屋根上空間２６側の側面）と第１壁部１８（詳しくは下地面材４３）の内面（屋根上空間２６側の側面）とは同一平面上に位置している。
【００４４】
第２壁部１９は、その立ち上がり高さが第１壁部１８の立ち上がり高さよりも低くなっている。すなわち、傾斜屋根部１６の屋根面からの第２壁部１９の高さ寸法は、陸屋根部１５の屋根面からの第１壁部１８の高さ寸法よりも小さくなっている。これにより、第１壁部１８と第２壁部１９との境界部では、これら各壁部１８，１９の間に段差が生じている。
【００４５】
続いて、下葺き材３８，３９について図３に加えて図４に基づいて説明する。図４は、陸屋根部１５と傾斜屋根部１６との境界部周辺の防水構造を一方の下葺き材３８を屋根上方に離間させた状態で示す斜視図である。
【００４６】
図３及び図４に示すように、陸屋根部１５と傾斜屋根部１６との境界部付近では、２つの下葺き材３８，３９が各屋根部１５，１６の並ぶ並び方向に連続させて敷設されている。これら下葺き材３８，３９のうち、陸屋根部１５側に敷設された下葺き材３８が第１下葺き材に相当し、傾斜屋根部１６側に敷設された下葺き材３９が第２下葺き材に相当する。
【００４７】
各下葺き材３８，３９のうち、まず下葺き材３９について説明する。下葺き材３９は、概ね傾斜屋根部１６に敷設されており、その一部が陸屋根部１５に跨がっている。下葺き材３９は、野地板３５ｂ上及び防露断熱材３６（野地板３５ａ）上に跨がって敷設された敷設部３９ａと、敷設部３９ａから上方に立ち上げられ第２壁部１９（のぼり木３４）の内面に重ねられた立ち上がり部３９ｂと、立ち上がり部３９ｂの上端部から屋外側に折り曲げられ第２壁部１９（のぼり木３４）の上面に重ねられた重ね部３９ｃとを有している。下葺き材３９は、野地板３５ｂ、のぼり木３４及び防露断熱材３６等にタッカーにより固定されている。なお、敷設部３９ａが第２敷設部に相当し、立ち上がり部３９ｂが第２立ち上がり部に相当する。
【００４８】
敷設部３９ａは、その一部が傾斜屋根部１６よりも陸屋根部１５側に延出した敷設延出部４７となっている。敷設延出部４７は、防露断熱材３６の上面に重ねられている。立ち上がり部３９ｂは、その一部が第２壁部１９よりも第１壁部１８側に延出した立ち上がり延出部４８となっている。立ち上がり延出部４８は、第１壁部１８（詳しくは下地面材４３）の内面に重ねられている。この場合、立ち上がり部３９ｂが第２壁部１９の内面と第１壁部１８の内面とに跨がって設けられており、第２壁部１９と第１壁部１８との境界部が立ち上がり部３９ｂにより壁部内側（屋根上空間２６側）から覆われた状態となっている。なお、立ち上がり部３９ｂにより防水手段が構成されている。
【００４９】
また、重ね部３９ｃは、その第１壁部１８側の端部が第１壁部１８における第２壁部１９側の端面部１８ａ（詳しくは、端面部１８ａにおける第２壁部１９よりも上方の部分）に当接した状態で配置されている。
【００５０】
下葺き材３９には、（陸屋根部１５と傾斜屋根部１６とが並ぶ並び方向における）陸屋根部１５側の端縁から敷設部３９ａと立ち上がり部３９ｂとの境界部に沿って切り込み４９が設けられている。切り込み４９は、少なくとも敷設延出部４７と立ち上がり延出部４８との境界部全域に亘って形成されている。これにより、敷設延出部４７と立ち上がり延出部４８とは切り込み４９を介して互いに分離された状態となっている。また、この場合、立ち上がり延出部４８の下端部は下葺き材３９の他の部分に対して非連続とされた非連続端部となっている。
【００５１】
続いて、下葺き材３８について説明する。
【００５２】
下葺き材３８は、概ね陸屋根部１５に敷設されており、その一部が傾斜屋根部１６に跨がっている。下葺き材３８は、防露断熱材３６（野地板３５ａ）上及び野地板３５ｂ上に跨がって敷設された敷設部３８ａと、敷設部３８ａから第１壁部１８及び第２壁部１９に沿って上方に立ち上げられた立ち上がり部３８ｂとを有している。下葺き材３８は、下地面材４３，のぼり木３４、防露断熱材３６及び野地板３５ｂ等にタッカーにより固定されている。なお、敷設部３８ａが第１敷設部に相当し、立ち上がり部３８ｂが第１立ち上がり部に相当する。
【００５３】
敷設部３８ａは、その一部が下葺き材３９の敷設部３９ａの上面に重ね合わせられた状態で設けられている。敷設部３８ａにおいて陸屋根部１５よりも傾斜屋根部１６側に延出した部分は敷設延出部５１となっている。敷設延出部５１は、傾斜屋根部１６において敷設部３９ａの上面に重ね合わせられている。また、敷設部３９ａにおいて傾斜屋根部１６よりも陸屋根部１５側に延出した上述の敷設延出部４７は、陸屋根部１５において敷設部３８ａの下面に重ね合わせられている。この場合、敷設部３８ａと敷設部３９ａとが重なり合う重なり部分が陸屋根部１５と傾斜屋根部１６とに跨がって形成されている。
【００５４】
立ち上がり部３８ｂは、その一部が下葺き材３９の立ち上がり部３９ｂの外側面（表面）に重ね合わせられた状態で設けられている。立ち上がり部３８ｂは、第１壁部１８の内面側と第２壁部１９の内面側とに跨がって設けられている。この場合、第２壁部１９と第１壁部１８との境界部が２つの立ち上がり部３８ｂ，３９ｂによって壁部内側（屋根上空間２６側）から二重に覆われた状態となっている。なお、立ち上がり部３８ｂにより防水手段が構成されている。
【００５５】
立ち上がり部３８ｂは、第１壁部１８の内面側に設けられた第１部分５４と、第２壁部１９の内面側に設けられた第２部分５５とを有している。第１部分５４は第１壁部１８の壁高さに応じた高さ寸法を有しており、その上端部が第１壁部１８の上端部と同じ高さ位置に位置している。また、第２部分５５は、第２壁部１９の壁高さに応じた高さ寸法を有しており、その上端部が第２壁部１９の上端部と同じ高さ位置に位置している。
【００５６】
下葺き材３８は、さらに第２部分５５の上端部から屋外側に延びて第２壁部１９の上面側に重ねられた重ね部５６を有している。重ね部５６は、下葺き材３８の重ね部３８ｃの上面に重ねられており、その第１壁部１８側の端部が当該第１壁部１８の端面部１８ａに当接している。
【００５７】
続いて、第１壁部１８と第２壁部１９との境界部周辺における防水構造について図５を用いながらさらに説明を続ける。図５は、第１壁部１８及び第２壁部１９の各頂部に防水テープが貼り付けられた状態を示す斜視図である。
【００５８】
図５に示すように、第１壁部１８の頂部と第２壁部１９の頂部とには、それら各頂部に跨がるようにして防水テープ６１が貼り付けられている。防水テープ６１は、ブチルテープにより構成されている。防水テープ６１は、第１壁部１８の頂部に貼り付けられた第１貼付部６２と、第１壁部１８の第２壁部１９側の端部に貼り付けられた第２貼付部６３と、第２壁部１９の頂部に貼り付けられた第３貼付部６４とを有している。
【００５９】
第１貼付部６２は、第１壁部１８の上面部と、第１壁部１８の外面側及び内面側とに跨がって貼り付けられている。具体的には、第１貼付部６２は、第１壁部１８の上面部においてパラペットフレーム４１、外壁面材４２及び下地面材４３の各上面に跨がって貼り付けられている。また、第１貼付部６２は、第１壁部１８の外面側にて外壁面材４２の外壁面に貼り付けられ、第１壁部１８の内面側にて下葺き材３８の立ち上がり部３８ｂの外側面（表面）に貼り付けられている。なお、図５では、第１貼付部６２が立ち上がり部３８ｂの外側面に貼り付けられる前の状態が示されている。
【００６０】
第２貼付部６３は、第１壁部１８の第２壁部１９側の端面部１８ａ（図３及び図４参照）と、第１壁部１８の外面側及び内面側とに跨がって貼り付けられている。具体的には、第２貼付部６３は、第１壁部１８の端面部１８ａにおいてパラペットフレーム４１、外壁面材４２及び下地面材４３の各端面に跨がって貼り付けられている。また、第２貼付部６３は、第１壁部１８の外面側にて外壁面材４２の外壁面に貼り付けられ、第１壁部１８の内面側にて下葺き材３８の立ち上がり部３８ｂの外側面（表面）に貼り付けられている。なお、図５では、第２貼付部６３が立ち上がり部３８ｂの外側面に貼り付けられる前の状態が示されている。
【００６１】
第３貼付部６４は、第２壁部１９の上面部と、第２壁部１９の外面側及び内面側に跨がって貼り付けられている。具体的には、第３貼付部６４は、第２壁部１９の上面部において外壁面材４４、のぼり木３４及び下葺き材３８，３９の重ね部５６，３９ｃの各上面に跨がって貼り付けられている。また、第３貼付部６４は、第２壁部１９の外面側において外壁面材４４の外壁面に貼り付けられ、第２壁部１９の内面側において下葺き材３９の立ち上がり部３９ｂの外側面（表面）に貼り付けられている。なお、図５では、第３貼付部６４が立ち上がり部３９ｂの外側面に貼り付けられる前の状態が示されている。
【００６２】
このように、防水テープ６１は、第１壁部１８の頂部と、第１壁部１８の（第２壁部１９側の）端部と、第２壁部１９の頂部とに跨がって連続して貼り付けられている。特に、防水テープ６１において第２貼付部６３と第３貼付部６４とは第１壁部１８と第２壁部１９との入隅部分を跨ぐようにして貼り付けられている。この場合、第１壁部１８と第２壁部１９との境界部が防水テープ６１により上方から覆われた状態となっている。また、防水テープ６１の各貼付部６２〜６４はいずれも下葺き材３８，３９の立ち上がり部３８ｂ，３９ｂに貼り付けられている。これにより、防水テープ６１と立ち上がり部３８ｂ，３９ｂとにより第１壁部１８及び第２壁部１９の各頂部から壁部内面側にかけて連続した防水層が形成されている。
【００６３】
図５に示されているその他の構成について説明すると、陸屋根部１５では、防露断熱材３６上に下葺き材３８と連続させて防水シート６６が敷設されている。防水シート６６は、防水性を有する合成樹脂製の軟質シートにより構成されている。防水シート６６は、下葺き材３８の敷設部３８ａに対して下葺き材３９（敷設部３９ａ）とは反対側で連続しており、その一部が敷設部３８ａの上面に重ね合わせられている。
【００６４】
第１壁部１８（詳しくは下地面材４３）の内面には、下葺き材３８の立ち上がり部３８ｂと連続させて防水板６７が設けられている。防水板６７は、表面側に塩化ビニル等の耐水皮膜が施された鋼板により形成されている。防水板６７は、下葺き材３８の立ち上がり部３８ｂに対して下葺き材３９側とは反対側で連続しており、その一部が立ち上がり部３８ｂの外側面に重ね合わせられている。また、防水板６７は、その下端部において第１壁部１８から離間する側へ折り曲げられ、その折り曲げ部分が防水シート６６の下面（裏面）に重ね合わせられている。
【００６５】
以上、詳述した本実施形態の構成によれば、以下の優れた効果が得られる。
【００６６】
第１壁部１８の内面側と第２壁部１９の内面側とに跨がって下葺き材３８，３９の立ち上がり部３８ｂ，３９ｂを設けたため、屋根上空間２６側から各壁部１８，１９の間を通じて雨水等の水が壁部内部へ入り込むのを防止することができる。したがって、例えば陸屋根部１５上に溜まった雨水等の水が傾斜屋根部１６側へと第１壁部１８及び第２壁部１９の壁際に沿って流れる際に、その水が各壁部１８，１９の間を通じて壁部内部へ入り込むのを防止することができる。これにより、防水性能の向上を図ることができる。
【００６７】
陸屋根部１５と傾斜屋根部１６との境界部付近に敷設された下葺き材３８，３９の一部を上方に立ち上げて立ち上がり部３８ｂ、３９ｂを形成し、その立ち上がり部３８ｂ，３９ｂを第１壁部１８の内側面と第２壁部１９の内側面とに跨がって設けるようにした。つまり、下葺き材３８，３９の一部により防水手段を構成したため、下葺き材３８，３９とは別に防水手段を設ける場合と比べて、構成の簡素化を図りながら上述の効果を得ることができる。
【００６８】
また、下葺き材３８の立ち上がり部３８ｂについては陸屋根部１５と傾斜屋根部１６とに跨がって敷設した敷設部３８ａから第１壁部１８及び第２壁部１９のそれぞれに沿って上方に立ち上げて形成したため、陸屋根部１５と傾斜屋根部１６との境界部及び第１壁部１８と第２壁部１９との境界部に跨がる連続した防水層を形成することができる。これにより、第１壁部１８及び第２壁部１９の壁際に沿って（敷設部３８ａ上を）流れる雨水等の水がそれら各壁部１８，１９の間を通じて壁部内部へ入り込むのを確実に防止することができ、防水性能の向上をより一層図ることができる。
【００６９】
下葺き材３８の立ち上がり部３８ｂに加え、下葺き材３９の立ち上がり部３９ｂについても第１壁部１８の内面側と第２壁部１９の内面側とに跨がって設けたため、各壁部１８，１９の境界部にてこれら２つの立ち上がり部３８ｂ，３９ｂによる二重の防水層を形成することができる。これにより、さらなる防水性能の向上を図ることができる。
【００７０】
立ち上がり延出部４８の下端部を、下葺き材３９の他の部分に対して非連続とされた非連続端部とした。この場合、例えば立ち上がり延出部４８の下端部を敷設延出部４７と連続させる場合と比べて、立ち上がり延出部４８周辺にてたわみやしわを生じにくくすることができる。これにより、立ち上がり延出部４８を第１壁部１８の内面（内側面）に密着させ易くすることができ、防水性能の低下を抑制することができる。
【００７１】
下葺き材３９の敷設部３９ａの一部を傾斜屋根部１６よりも陸屋根部１５側に延出させて敷設延出部４７とし、その敷設延出部４７を下葺き材３８の敷設部３８ａの下面に重ね合わせた。この場合、各敷設部３８ａ，３９ａが重なり合う重なり部分を陸屋根部１５と傾斜屋根部１６とに跨がって形成することができるため、これら各敷設部３８ａ，３９ａの間を通じて雨水等の水が敷設部３８ａ，３９ａの裏側へ入り込むのを防止する効果を高めることができる。また、このように敷設延出部４７を設けた構成にあって、下葺き材３９には敷設延出部４７と立ち上がり延出部４８との境界部に沿って切り込み４９を形成し、その切り込み４９によって立ち上がり延出部４８の下端を非連続端部とした。これにより、各敷設部３８ａ，３９ａの間を通じた水の入り込みを防止する効果を高めながらも、立ち上がり延出部４８を第１壁部１８の内面に密着させ易くして防水性能の低下を抑制することができる。
【００７２】
第１壁部１８の頂部と第２壁部１９の頂部とに跨がって防水テープ６１を貼り付けたため、これら壁部１８，１９の上方から雨水等の水が各壁部１８，１９の間を通じて壁部内部へ入り込むのを防止することができる。また、防水テープ６１を、さらに下葺き材３８の立ち上がり部３８ｂ及び下葺き材３９の立ち上がり部３９ｂに跨がって貼り付けたため、これら防水テープ６１及び立ち上がり部３８ｂ，３９ｂにより第１壁部１８及び第２壁部１９の境界部にて壁部１８，１９の内面側から頂部にかけて連続した防水層を形成することができる。これにより、第１壁部１８と第２壁部１９との間を通じて雨水等の水が壁部内部へ入り込むのを好適に防止することができる。
【００７３】
第１壁部１８がパラペットにより構成され、第２壁部１９がのぼり木３４を含んで構成される場合、各壁部１８，１９が互いに異なる構成となるため、各壁部１８，１９の間に隙間が生じてしまい易く、その隙間を通じた壁部内部への水の入り込みが特に懸念される。その点、上記の実施形態では、このように互いの構成が異なる壁部１８，１９同士の間に跨がって下葺き材３８，３９の立ち上がり部３８ｂ，３９ｂによる上述の防水構造を構築しているため、かかる場合であっても各壁部１８，１９の間を通じた水の入り込みを好適に防止することができる。
【００７４】
各下葺き材３８，３９にそれぞれ第２壁部１９上に重ねられる重ね部３９ｃ，５６を設け、それら各重ね部３９ｃ，５６をそれぞれ第１壁部１８の端面部１８ａ（詳しくは端面部１８ａにおいて第２壁部１９よりも上方の部分）に当接させて配置した。この場合、施工時に各下葺き材３８，３９を敷設する際に、重ね部３９ｃ，５６を端面部１８ａに当接させることで各下葺き材３８，３９を所定の位置に容易に位置合わせすることができる。この場合、各下葺き材３８，３９の立ち上がり部３８ｂ，３９ｂ（及び敷設部３８ａ，３９ａ）が重なり合う重ね代を所定の大きさに設定することが容易となるため、２つの下葺き材３８，３９により防水性能を確保する上述の構成にあって好ましい構成といえる。
【００７５】
本発明は上記実施形態に限らず、例えば次のように実施されてもよい。
【００７６】
（１）上記実施形態では、下葺き材３９に切り込み４９を設けたが、下葺き材３９に切り込み４９を設けないようにしてもよい。但し、下葺き材３９に切り込み４９を設けない場合、立ち上がり延出部４８の下端部が敷設延出部４７と連続することになるため、敷設延出部４７と立ち上がり延出部４８との境界部付近にたわみやしわが生じ易くなり、第１壁部１８の内面に対する立ち上がり延出部４８の密着性が悪くなるおそれがある。その点を鑑みると、下葺き材３９には切り込み４９を設けることが望ましい。
【００７７】
また、下葺き材３９に敷設延出部４７を設けないようにしてもよい。その場合にも、立ち上がり延出部４８の下端部が下葺き材３９の他の部分に対して非連続とされる非連続端部となるため、立ち上がり延出部４８にしわやたわみを生じにくくすることができる。
【００７８】
（２）上記実施形態では、下葺き材３８の立ち上がり部３８ｂに加え、下葺き材３９の立ち上がり部３９ｂについても第１壁部１８の内面側と第２壁部１９の内面側とに跨がって設けるようにしたが、下葺き材３９の立ち上がり部３９ｂについては必ずしも各壁部１８，１９に跨がって設ける必要はない。その場合であっても、下葺き材３８の立ち上がり部３８ｂにより各壁部１８，１９の間を通じた壁部内部への水の入り込みを防止することができる。
【００７９】
（３）上記実施形態では、各下葺き材３８，３９にそれぞれ第２壁部１９上に重ねられる重ね部５６，３９ｃを設けたが、これら各重ね部５６，３９ｃのうちいずれか一方又は両方を不具備としてもよい。
【００８０】
（４）上記実施形態では、下葺き材３８，３９の一部（立ち上がり部３８ｂ、３９ｂ）を第１壁部１８の内面側と第２壁部１９の内面側とに跨がって設けることで、その立ち上がり部３８ｂ、３９ｂにより防水手段を構成したが、下葺き材３８，３９とは別の部材により防水手段を構成してもよい。例えば、第１壁部１８の内面側と第２壁部１９の内面側とに跨がって防水シート（防水手段に相当）を別途設けることが考えられる。
【００８１】
（５）上記実施形態では、第１壁部１８をパラペット（パラペット壁）として構成し、第２壁部１９をのぼり木３４を含んで構成したが、各壁部１８，１９の構成は必ずしもこれに限定されない。例えば、第２壁部１９についても第１壁部１８と同様のパラペット壁により構成することが考えられる。その場合、第１壁部１８の立ち上がり高さと第２壁部１９の立ち上がり高さとを同じ高さとしてもよい。
【００８２】
（６）上記実施形態では、下葺き材３８，３９をアスファルトルーフィングにより形成したが、下葺き材３８，３９をアスファルトフェルトや合成高分子系シート等その他のシート材により形成してもよい。
【００８３】
（７）上記実施形態では、ユニット式建物への適用例を説明したが、鉄骨軸組工法により構築される建物等、他の構造の建物にも本発明を適用できる。
【符号の説明】
【００８４】
１０…建物、１３…屋根部、１５…陸屋根部、１６…傾斜屋根部、１８…第１壁部、１９…第２壁部、２０…建物ユニット、２０ａ…カットユニット、３４…のぼり木、３８…第１下葺き材としての下葺き材、３８ａ…第１敷設部としての敷設部、３８ｂ…第１立ち上がり部としての立ち上がり部、３９…第２下葺き材としての下葺き材、３９ａ…第２敷設部としての敷設部、３９ｂ…第２立ち上がり部としての立ち上がり部、４７…敷設延出部、４８…立ち上がり延出部、４９…切り込み、６１…防水テープ。
【図１】
2015155621.tif 000003
【図２】
2015155621.tif 000004
【図３】
2015155621.tif 000005
【図４】
2015155621.tif 000006
【図５】
2015155621.tif 000007